(57)【特許請求の範囲】
【請求項１】
一対の側部２，２と底部３とからなり、側部２，２の端縁には外側に向ってほぼ直角に屈曲せしめられたつば部４が形成されている略コ字形断面図を有する長尺状をなし、前記底部３の底面５よりわずかに上方の側部２の内壁面に、一定の長さを有する小突起条６，６を一定の間隔で長手方向に向かって断続的に対向して形成した軽合金製の枠材１を、それぞれ開口部が外側を向く様に所定の間隔で対向させ、前記つば部４に端縁が当接する様に同形の板材９，９をその両面に取り付けてなるパネル単体を、それぞれのつば部４，４を当接させることにより直列状にならべ、対向した小突起条６の端面１８と底面３との隙間にコ字形をした接続具１１の脚部１２，１２をそれぞれ挿入することにより、複数板接続出来る様にしたことを特徴とする仮設間仕切り用中空パネル。
【発明の詳細な説明】
【０００１】
【産業上の利用分野】
この発明は、仮設間仕切り用中空パネル、詳しくは、展示会、見本市などにおいて間仕切りやブースなどを仮設するときに用いる仮設間仕切り用中空パネルに関するものである。
【０００２】
【従来の技術】
額縁状に組まれた枠体の両面に同形の板材を取付け、その表面に塗装や経師を施した仮設間仕切り用中空パネルは、展示会場や見本市会場など仮設施設において、間仕切りやブースなどを設営する為の資材として大いに利用されている。
【０００３】
この仮設間仕切り用中空パネルは、一般的に一定のあらかじめ定められた寸法のものを多数用意しておき、同形のもの同士を順次接続することにより、壁体や間仕切りあるいはテーブルなど所望の構造物をその場で仮設的に構築する為に用いられており、現場における大工作業を大幅に減らすことが出来、しかも何回も繰り返し再利用も可能な為、近年大いに注目されている。
【０００４】
【発明が解決しようとする課題】
仮設間仕切り用中空パネルを用いて間仕切りやブースを仮設する際、その壁面の一部に開口部や窓あるいは棚などといった異形部分を形成させたい場合や、高さの異なる仮設間仕切り用中空パネル同士を接続したい場合がある。従来の仮設間仕切り用中空パネルにおいては、単に同形のパネル同士が接続された単純な壁面なら簡単に構築出来るが、高さの異なる仮設間仕切り用中空パネル同士の接続、あるいは開口部や窓あるいは棚などの異形部分の形成については、特に配慮されておらず、この様な場合には、従来通り現場における大工作業で対処しなければならず、施工の簡便さといった仮設間仕切り用中空パネルのメリットが大いに減殺されていた。
【０００５】
本発明者は、間仕切りやブースの構築に用いる仮設間仕切り用中空パネルに関する上記課題を解決する方策を鋭意研究した結果、仮設間仕切り用中空パネルの周縁を構成する枠体の構造に工夫をこらし、高さの異なる仮設間仕切り用中空パネル半体同士を簡単に接続できる様にし、複数の仮設間仕切り用中空パネルによって構築する間仕切りや壁面にも簡単に開口部や窓あるいは棚など異形部分を簡単に形成することが出来る仮設間仕切り用中空パネルを開発することに成功し、本発明としてここに提案するものである。
【０００６】
【課題を解決するための手段】
一対の側部２，２と底部３とからなり、側部２，２の端縁には外側に向ってほぼ直角に屈曲せしめられたつば部４が形成されている略コ字形断面図を有する長尺状をなし、前記底部３の底面５よりわずかに上方の側部２の内壁面に、一定の長さを有する小突起条６，６を一定の間隔で長手方向に向かって断続的に対向して形成した軽合金製の枠材１を、それぞれ開口部が外側を向く様に所定の間隔で対向させ、前記つば部４に端縁が当接する様に同形の板材９，９をその両面に取り付けてなるパネル単体を、それぞれのつば部４，４を当接させることにより直列状にならべ、対向した小突起条６の端面１８と底面３との隙間にコ字形をした接続具１１の脚部１２，１２をそれぞれ挿入することにより、複数板接続出来る様にして、上記課題を解決せんとするものである。
【０００７】
【発明の実施の形態】
図１はこの発明に係る仮設間仕切り用中空パネルの構成要素である枠材１の正面図、図２はそれを拡大して描いた拡大正面図、図３は図２における矢視Ａ−Ａ線断面図、図４は同じく矢視Ｂ−Ｂ線断面図、図５はその拡大斜視図である。
【０００８】
図中、１はこの発明に係る仮設間仕切り用中空パネルの構成要素である枠材１であり、軽合金製で長尺状をなし、その断面は図３，４及び図５に示す様に一対の側部２，２及び底部３とからなる略コ字形を呈している。そして、この枠体１の側部２の端縁には外側に向かってほぼ直角に屈曲せしめられたつば部４が一体的に形成されている。
【０００９】
更に、底部３の底面５よりわずかに上方の側部２の内側壁からは、長手方向にわたって一定の長さの有する小突起状６がそれぞれ対向して一定の隙間（ピッチ）で断続的に形成されている。
【００１０】
つまり、この小突起状６は枠材１の長手方向全域にわたって形成されているのではなく、図１に示す様に、枠材１の長手方向端部７からあらかじめ定められた位置まで、部分的に形成されているのである。ちなみに、この実施形態においては、この小突起条６の長手方向の長さは３０ｃｍとなっている。そして枠材１の側部２の内側壁には、この小突起条６が形成されていない部分、即ち非形成部分８も設けられ、この部分をはさんで所定の長さ（この実施の形態においては３０ｃｍ）の小突起条６が形成されているのである。非形成部分８の長さは、この実施の形態においては５．５cmとなっている。
【００１１】
そして、これら枠材１，１をそれぞれ開口部が外側を同じ様に、所定間隔で平行に位置させ、枠材１，１の側部２，２の外側壁に、つば部４に端縁が当接する様に、同形の板材９，９をそれぞれ取り付けて、中空パネル１０が構成されている。
【００１２】
次に、この枠体１を用いて高さの異なる中空パネル１０，１０´を接続して間仕切りに開口部を形成する方法を説明する。
【００１３】
基準となる所定の高さを有する中空パネル１０，１０と、小突起条６の端面１８までの高さしかない丈の短い中空パネル１０´、とを用意しておき、図８に示す様に、基準となる高さの中空パネル１０，１０の間に直列状に丈の短い中空パネル１０´を位置させ、それぞれ枠材１のつば部４，４を当接させてこれらをならべる。
【００１４】
そして、図６及び図７に示す様に、小突起条６の端面１８と底部３との隙間にコ字形をした接続具１１の脚部１２，１２をそれぞれ挿入し、両者を係合する。この様にすることにより、高さの異なる中空パネル１０と１０´とは何ら問題なく接続される。
【００１５】
更に、図９に示す様に、高さの異なる中空パネル１０，１０´を組合せて開口部１９を形成し、その上部に別の中空パネル１０´を固定し、窓２０とすることも可能である。
【００１６】
なお、上記の実施形態においては小突起条６は６対設けられているが、図１０あるいは図１１に示すものの様に、小突起条６の数は２対以上であればいくつでも良いことはもちろんである。
【００１７】
【効果】
この発明に係る仮設間仕切り用中空パネルは上述の通り、その枠材の内側壁面に一定の長さを有する小突起条が断続的に形成されているので、この小突起条の端部を利用して高さの異なる仮設間仕切り用中空パネル同士を接続具で接続したり、仮設間仕切りに開口部や窓を設けたり、棚を簡単に形成したりすることが出来る効果を有し、仮設資材としての仮設間仕切り用中空パネルの利用範囲を大幅に拡大できる効果を有し、極めて実用的である。
【図面の簡単な説明】
【図１】  この発明に係る仮設間仕切り用中空パネルの構成要素である枠材１の正面図。
【図２】  同じくそれを拡大して描いた拡大正面図。
【図３】  図２における矢視Ａ−Ａ線断面図。
【図４】  同じく図２における矢視Ｂ−Ｂ線断面図。
【図５】  同じく、その斜視図。
【図６】  この発明に係る仮設間仕切り用中空パネルを用いて高さの異なる仮設間仕切り用中空パネル同士を接合する方法を示した接続部分の拡大斜視図。
【図７】  同じく接続部分の拡大断面図。
【図８】  同じくその状態の全体の正面図。
【図９】  この発明に係る仮設間仕切り用中空パネルを用いて仮設用間仕切りに窓を形成した状態の正面図。
【図１０】  この発明に係る仮設間仕切り用中空パネルの他の実施形態の正面図。
【図１１】  同じく、更に他の実施形態の正面図。
【符号の説明】
１    枠材
２    側部
３    底部
４    つば部
５    底面
６    小突起条
７    長手方向端部
８    非形成部分
９    板材
１０    中空パネル
１１    接続具
１２    脚部
１８    端面
１９    開口部
２０    窓
【図１】
0003984478.tif 000002
【図２】
0003984478.tif 000003
【図３】
0003984478.tif 000004
【図４】
0003984478.tif 000005
【図５】
0003984478.tif 000006
【図６】
0003984478.tif 000007
【図７】
0003984478.tif 000008
【図８】
0003984478.tif 000009
【図９】
0003984478.tif 000010
【図１０】
0003984478.tif 000011
【図１１】
0003984478.tif 000012